(57)【要約】      （修正有）【課題】開閉扉の前面に冷蔵及び冷凍に関する機能以外の付加機能を備えた冷蔵庫を提供する。【解決手段】冷蔵庫１０は、冷蔵庫本体１に設けられた冷蔵室２と、冷蔵室２にそれぞれ設けられた前面開口を開閉するための開閉扉２ａと、開閉扉２ａの少なくとも１つに設けられ、冷蔵及び冷凍機能以外の付加機能を操作し、かつ、表示する付加機能パネル７とを備え、付加機能パネル７には、前記付加機能の操作を一時的に停止する操作機能停止ボタンが設けられている。付加機能パネル７の裏面には、当該付加機能パネル７を制御するための制御基板が設けられている。冷蔵庫本体１の背面には、この冷蔵庫１０の全体の制御を行うための主制御基板が設けられている。また、主制御基板と制御基板とは、接続線によって接続されている。【選択図】図１
0003195800.tif 000002
【実用新案登録請求の範囲】
【請求項１】
冷蔵庫本体に設けられた少なくとも１つの貯蔵室と、
前記貯蔵室にそれぞれ設けられた前面開口を開閉するための開閉扉と、
前記開閉扉の少なくとも１つに設けられており、冷蔵及び冷凍に関する機能以外の付加機能を表示し、かつ、操作する付加機能部とを備え、
前記付加機能部には、前記付加機能の操作のみを一時的に又は継続的に停止する操作機能停止部が設けられている冷蔵庫。
【請求項２】
前記付加機能が、冷蔵庫が設置されている周囲の温度を表示する温度表示部、当該冷蔵庫が設置されている周囲の湿度を表示する湿度表示部、電卓、時計及びタイマーからなる群より選ばれる少なくとも１種である請求項１に記載の冷蔵庫。
【考案の詳細な説明】
【技術分野】
【０００１】
本考案は、冷蔵庫に関し、より詳細には、貯蔵室に設けられた前面開口を開閉するための開閉扉に、冷蔵及び冷凍機に関する機能以外の付加機能が設けられた冷蔵庫に関する。
【背景技術】
【０００２】
従来の冷蔵庫として、開閉扉の前面に操作部（例えば押しボタン等）を備え、該操作部を操作することにより、冷凍室や冷蔵室の設定温度の切り替えや急速冷凍、急冷蔵などの機能を動作させる構成が知られている。例えば、下記特許文献１では、操作部に「冷凍」、「冷蔵」などの貯蔵室の名称が文字で記された操作ボタンが配置され、操作ボタンを押す度に、対象となる貯蔵室の設定温度が切り替わり、設定状態を「弱」、「中」、「強」といった能力の度合いを文字で表示される構成となっている。
【０００３】
しかしながら、従来の冷蔵庫においては、冷蔵及び冷凍に関する機能以外の付加機能、具体的には、例えば、タイマーや電卓、時計等の操作及び表示機能を開閉扉の前面に設けたものがない。
【先行技術文献】
【特許文献】
【０００４】
【特許文献１】特開２０１１−３８７１２号公報
【考案の概要】
【考案が解決しようとする課題】
【０００５】
本考案は前記問題点に鑑みなされたものであり、その目的は、開閉扉の前面に冷蔵及び冷凍に関する機能以外の付加機能を備えた冷蔵庫を提供することにある。
【課題を解決するための手段】
【０００６】
本考案の冷蔵庫は、前記の課題を解決する為に、冷蔵庫本体に設けられた少なくとも１つの貯蔵室と、前記貯蔵室にそれぞれ設けられた前面開口を開閉するための開閉扉と、前記開閉扉の少なくとも１つに設けられており、冷蔵及び冷凍に関する機能以外の付加機能を表示し、かつ、操作する付加機能部とを備え、前記付加機能部には、前記付加機能の操作のみを一時的に又は継続的に停止する操作機能停止部が設けられていることを特徴とする。
【０００７】
前記の構成に於いては、前記付加機能が、冷蔵庫が設置されている周囲の温度を表示する温度表示部、当該冷蔵庫が設置されている周囲の湿度を表示する湿度表示部、電卓、時計及びタイマーからなる群より選ばれる少なくとも１種であることが好ましい。
【考案の効果】
【０００８】
本考案によれば、冷蔵庫本体に設けられた少なくとも１つの貯蔵室の開閉扉の前面に、冷蔵及び冷凍に関する機能以外の付加機能、例えば、タイマーや電卓、時計等の操作及び表示が可能な付加機能部を備えているので、ユーザーの利便性がより向上する。また、付加機能部には、付加機能の操作のみを一時的に又は継続的に停止させる操作機能停止部が設けられているので、例えば、前記開閉扉の前面を清掃等する際に誤って誤操作するのを防止することができる。
【図面の簡単な説明】
【０００９】
【図１】本考案の実施の一形態に係る冷蔵庫を模式的に表す斜視図である。
【図２】前記冷蔵庫における付加機能パネルを模式的に表す平面図である。
【図３】前記冷蔵庫における他の付加機能パネルを模式的に表す平面図である。
【考案を実施するための形態】
【００１０】
本考案の実施の一形態について、図１〜図３に基づき以下に説明する。図１は、本考案の実施の一形態に係る冷蔵庫を模式的に表す斜視図である。図２は、前記冷蔵庫における付加機能部を模式的に表す平面図である。図３は、前記冷蔵庫における他の付加機能パネルを模式的に表す平面図である。
【００１１】
図１に示すように、冷蔵庫１０には、冷蔵庫本体１の最上段に位置する冷蔵室２と、最下段に位置する野菜室６と、野菜室６の上段に位置する冷凍室５と、冷蔵室２と冷凍室５の間に設けられた製氷室３及び切替室４とが、貯蔵室として冷蔵庫本体１に設けられている。これらの貯蔵室の前面開口には、その開口を開閉するための開閉扉２ａ、２ｂ、３ａ、４ａ、５ａ、６ａが設けられている。開閉扉２ａ、２ｂは、冷蔵庫本体１の両側に設けられた上下ヒンジによって回転自在に軸支された観音開き式となっている。但し、本発明は、この態様に限定されるものではなく、例えば、１枚式の回転式扉でもよい。製氷室３、切替室４、冷凍室５、野菜室６の各開閉扉３ａ、４ａ、５ａ、６ａは、それぞれ引き出し式の開閉扉で、それぞれ貯蔵室の容器と共に引き出し自在となっている。
【００１２】
冷蔵室２の開閉扉２ｂの前面には、付加機能パネル（付加機能部）７が設けられている。付加機能パネル７の裏面には、当該付加機能パネル７を制御するための制御基板（図示しない）が設けられている。冷蔵庫本体１の背面には、この冷蔵庫１０の全体の制御を行うための主制御基板が設けられている。また、主制御基板と制御基板とは、接続線によって接続されている。
【００１３】
付加機能パネル７は、開閉扉２ｂの表面と略面一となるように設けられていることが好ましい。これにより、付加機能パネル７に設けられている各付加機能を、誤って操作してしまうのを抑制することができる。
【００１４】
付加機能パネル７には、冷蔵及び冷凍に関する機能以外の機能を操作し、表示するための付加機能が設けられている。より具体的には、付加機能パネル７には、図２に示すように、時計１１、電卓１２、タイマー１３、温度表示部１４、湿度表示部１５及びスピーカー１７が、付加機能として、正方形状の１つの領域内に設けられている。尚、付加機能パネル７に設けられる機能としては、冷蔵及び冷凍機に関する機能以外の機能であれば特に限定されず、さらに他の付加機能を追加してもよい。
【００１５】
前記の各付加機能はユーザーによって視認可能に設けられている。また、電卓１２及びタイマー１３には、それぞれこれらを操作するためのキー入力部が設けられている。キー入力部は、公知の防水フィルムを被覆するなどして防水機能を施してもよい。また、キー入力部はそれ以外の表面部分と高さが略同一となる様なフラットタッチキーとしてもよい。これにより、電卓１２及びタイマー１３の清掃を容易にし、誤操作の発生を防止することができる。温度表示部１４は、例えば、冷蔵庫１０が設置されている周囲の室温等を表示させる。また、湿度表示部１５は、例えば、冷蔵庫１０が設置されている周囲の室温等を表示させる。スピーカー１７は、タイマー１３のアラーム音やキー入力部を押下したときの効果音を発することができる。
【００１６】
また、付加機能パネル７には、前記の付加機能の操作のみを一時的に又は継続的に停止する操作機能停止ボタン（操作機能停止部）１６が設けられている。本実施の形態の操作機能停止ボタン１６は、電卓１２及びタイマー１３の操作機能を一時的に又は継続的に停止させる機能を有している。具体的には、操作機能停止ボタン１６を一点の時間押下し続けることにより操作機能の停止を実行する。押下する時間としては特に限定されず、例えば、４秒間程度に設定すればよい。再び付加機能パネル７の操作を可能にした場合は、操作機能停止ボタン１６を再び同じ時間だけ押下する。これにより、付加機能パネル７の操作が可能になる。尚、電卓１２及びタイマー１３の操作の途中で操作機能停止ボタン１６を押下した場合にも、これらに表示されているものが消滅することはない。
【００１７】
付加機能パネル７の配置位置については、開閉扉２ｂの前面に限定されるものではなく、他の開閉扉に設けてもよい。また、付加機能パネル７の高さ位置については、特に限定されるものではなく、適宜必要に応じて設定することができる。例えば、日本人が本実施の形態の冷蔵庫１０を使用することを考慮する場合、付加機能パネル７は、冷蔵庫本体１の設置床面から高さ１２００ｍｍ〜１７００ｍｍの範囲内に設定するのが好ましい。これにより、日本人の成人の平均身長に対して、目視が容易となり、かつ、良好な操作性を確保することができる。
【００１８】
付加機能パネル７における各種の付加機能の配置に関し、本発明は、正方形状の１つの領域に設けた態様に限定されるものではない。例えば、図３に示すように、時計１１、電卓１２、タイマー１３を横一列に配置してもよい。このとき、温度表示部１４及び湿度表示部１５は相互に縦一列に並ぶ様に配置し、かつ、これらの表示部が、タイマー１３の電卓１２が設けられている側とは反対側に配置されている。操作機能停止ボタン１６は時計１１とは反対側の端部側に設けられている。
【００１９】
以上の様に、本実施の形態の冷蔵庫１０によれば、冷蔵庫本体１の開閉扉２ｂの前面に、時計１１等の付加機能を備えた付加機能パネル７が設けられているので、冷蔵及び冷凍に関する機能以外の面で、ユーザーに対する利便性の向上を図ることができる。また、付加機能パネル７には、付加機能の操作のみを一時的に又は継続的に停止させる操作機能停止ボタン１６が設けられているので、例えば、前記開閉扉２ｂの前面を清掃等する際に誤って誤操作するのを防止することができる。
【符号の説明】
【００２０】
１  冷蔵庫本体
２  冷蔵室
２ａ、２ｂ  開閉扉
３  製氷室
３ａ  開閉扉
４  切替室
４ａ  開閉扉
５  冷凍室
５ａ  開閉扉
６  野菜室
６ａ  開閉扉
７  付加機能パネル（付加機能部）
１０  冷蔵庫
１１  時計
１２  電卓
１３  タイマー
１４  温度表示部
１５  湿度表示部
１６  操作機能停止ボタン（操作機能停止部）
１７  スピーカー
【図１】
0003195800.tif 000003
【図２】
0003195800.tif 000004
【図３】
0003195800.tif 000005